(57)【要約】      （修正有）【課題】霧状の高引火点物質を安全に、且つ室内で燃焼させて、その燃焼状況を目視確認可能とし、危険物取扱い者などの教育に資することができる霧状高引火点物質の燃焼実験装置を提供する。【解決手段】液状の高引火点物質を霧状にして噴霧する噴霧装置１２と、透明な材料で形成された燃焼用容器１１と、燃焼用容器１１内に噴霧される高引火点物質に着火する着火装置１３と、を備え、燃焼用容器１１内で燃焼する霧状高引火点物質の燃焼状況を安全に視認可能とする。【選択図】図１
0003146736.tif 000002
【実用新案登録請求の範囲】
【請求項１】
液状の高引火点物質を霧状にして噴霧する噴霧装置と、
前記噴霧装置から噴霧される霧状の前記高引火点物質を受け入れ可能な開口窓を有し、透明な材料で形成された燃焼用容器と、
前記噴霧装置の近傍に配置され、前記燃焼用容器内に噴霧される霧状の前記高引火点物質を引火点以上の温度まで加熱して着火させる着火装置と、
を備えることを特徴とする霧状高引火点物質の燃焼実験装置。
【考案の詳細な説明】
【技術分野】
【０００１】
本考案は、霧状高引火点物質の燃焼実験装置に関し、より詳細には、通常では着火し難い高引火点物質が、霧状になると爆発的に燃焼する様子を安全に視認可能とし、可燃物などの危険物取扱い教育用機材として好適な霧状高引火点物質の燃焼実験装置に関する。
【背景技術】
【０００２】
重油や潤滑油などの高引火点物質は、液状であるときには着火し難く、比較的安全であるが、霧状になると容易に引火点温度に達し、爆発的に燃焼する可能性がある。従来、霧状にされた高引火点物質の燃焼実験は、爆発的に燃焼して危険性を伴うことから、広い野外などを有する限られた施設で行われており、実験室的に実施することは困難であった。
【考案の開示】
【考案が解決しようとする課題】
【０００３】
通常では着火し難い高引火点物質が、霧状になると爆発的に燃焼することは想像し難く、危険物取扱い者などに対して実体験として教育する必要性は高い。しかしながら、危険性を伴うこの種の燃焼実験は、限られた施設でしか実施することができず、安全に、且つ室内で実験室的にこの種の燃焼実験を実施可能な燃焼実験装置が強く要望されていた。
【０００４】
本考案は、前述した課題に鑑みてなされたものであり、その目的は、霧状の高引火点物質を安全に、且つ室内で燃焼させて、その燃焼状況を目視確認可能とし、危険物取扱い者などの教育に資することができる霧状高引火点物質の燃焼実験装置を提供することにある。
【課題を解決するための手段】
【０００５】
本考案の上記目的は、下記の構成により達成される。
（１）  液状の高引火点物質を霧状にして噴霧する噴霧装置と、
前記噴霧装置から噴霧される霧状の前記高引火点物質を受け入れ可能な開口窓を有し、透明な材料で形成された燃焼用容器と、
前記噴霧装置の近傍に配置され、前記燃焼用容器内に噴霧される霧状の前記高引火点物質を引火点以上の温度まで加熱して着火させる着火装置と、
を備えることを特徴とする霧状高引火点物質の燃焼実験装置。
【考案の効果】
【０００６】
本考案の霧状高引火点物質の燃焼実験装置によれば、開口窓から燃焼用容器内に噴霧される霧状の高引火点物質を、着火装置で着火させて燃焼用容器内で燃焼させるようにしたので、爆発的に燃焼して危険を伴う虞のある霧状高引火点物質の燃焼実験を、室内で安全且つ容易に実施することができる。これにより、広い実験設備を備えない施設でも、危険物取扱い者を教育することが可能となる。
【考案を実施するための最良の形態】
【０００７】
以下、本考案に係る霧状高引火点物質の燃焼実験装置の実施形態を図面に基づいて詳細に説明する。
【０００８】
図１に示すように、霧状高引火点物質の燃焼実験装置１０は、燃焼用容器１１と、噴霧装置１２と、着火装置１３と、を備える。
【０００９】
燃焼用容器１１は、例えば、透明アクリル樹脂、透明塩ビ樹脂や、透明ガラスなどの透明な材料によって、高さ略５００ｍｍ、幅略１０００ｍｍ、奥行き略５００ｍｍの直方形の箱状に形成されている。燃焼用容器１１の一方の側壁１４には、略矩形の開口窓１５が設けられている。また、開口窓１５に対向する面は、壁が設けられておらず、大きな開口面積を有して外部に開放された開口部１６となっている。
【００１０】
噴霧装置１２は、例えば、重油や潤滑油など、引火点温度が４００℃程度の液状の高引火点物質２０を貯留するタンク１７と、この高引火点物質２０を霧状にして噴霧するノズル部１８とを備える。ノズル部１８は、燃焼用容器１１の開口窓１５に向けて配置されており、液状の高引火点物質２０を霧状にして開口窓１５から燃焼用容器１１内に噴霧可能となっている。
【００１１】
着火装置１３は、例えば、ガスバーナーであり、火炎ノズル１９が燃焼用容器１１の開口窓１５に向けられて、噴霧装置１２の近傍に隣接して配置されている。即ち、着火装置１３の火炎ノズル１９から放射される火炎Ｆは、開口窓１５から燃焼用容器１１内に向けて放射されるようになっている。
【００１２】
高引火点物質の燃焼実験の手順について説明する。図２に示すように、着火装置１３に点火して火炎ノズル１９から放射される火炎Ｆを開口窓１５から燃焼用容器１１内に向けて放射する。ここで、噴霧装置１２から重油や潤滑油などの高引火点物質２０を霧状にして燃焼用容器１１内に噴霧すると、霧状の高引火点物質２０は直ちに引火温度に達し、全体が同時に爆発的に燃焼する。
【００１３】
火炎中に霧状の高引火点物質が噴霧されたときの燃焼状況について図３を参照して詳述する。図３に示すように、ガスバーナー（着火装置）１３の火炎Ｆに向かって、噴霧装置１２から噴霧される高引火点物質２０は、粒子の細かな低温（引火温度以下）のミストとなって噴霧される。この低温のミスト２０が火炎Ｆ中に至ると、粒子が細かく、従って熱容量が小さなミスト２０の温度が急激に上昇して、可燃性の高い蒸気となり、この蒸気が同時に爆発的に燃焼する。
【００１４】
この霧状の高引火点物質２０の爆発的燃焼は、燃焼用容器１１内で行われるので、実験者は安全に透明な燃焼用容器１１外から燃焼状態を視認することができる。また、燃焼に伴って燃焼用容器１１内の圧力が上昇するが、この圧力上昇は、開口部１６から外部に逃がされるので、実験者の安全は確保される。
【００１５】
なお、霧状になって噴霧される高引火点物質２０の状態は、高圧タンクに貯留されている重油や潤滑油などの高引火点物質２０が、高圧タンクや配管などのひびから噴出する状態と近似しており、より現場状況に近い状態での燃焼実験となる。
【００１６】
また、噴霧装置１２のノズル部１８を交換して高引火点物質２０を液状のまま（霧状とせずに）燃焼用容器１１内に吐出させた場合、熱容量が大きい液塊状の高引火点物質２０はなかなか引火温度に達することができず、従って着火し難く、爆発的に燃焼する霧状の高引火点物質２０との明らかな差を視認することができる。従って、液状および霧状の高引火点物質２０の比較燃焼実験を行うようにすれば、教育効果を更に高めることができる。  
【００１７】
尚、本考案は、前述した実施形態に限定されるものではなく、適宜、変形、改良、等が可能である。
【図面の簡単な説明】
【００１８】
【図１】本考案に係る霧状高引火点物質の燃焼実験装置の斜視図である。
【図２】霧状の高引火点物質が燃焼用容器内で爆発的に燃焼する状態を示す斜視図である。
【図３】霧状の高引火点物質が加熱されて燃焼する状態を説明する模式図である。
【符号の説明】
【００１９】
１０      燃焼実験装置
１１      燃焼用容器
１２      噴霧装置
１３      着火装置
１５      開口窓
１６      開口部
２０      高引火点物質（重油、潤滑油）
【図１】
0003146736.tif 000003
【図２】
0003146736.tif 000004
【図３】
0003146736.tif 000005